(57)【要約】【課題】ヒノキチオール成分による優れた効果を時間的にコントロールすることにより、その効果をより有用ならしめるシロアリ防除材料を提供し、併せてシロアリ防除材料を利用したシロアリ防除剤並びにその好適な使用方法をも提供する。【解決手段】シロアリ防除材料１Ｂ、１Ｃを、主体となる多孔質粒子１の細孔部１１にヒノキチオール成分含有液１２を吸着させて構成した基本粒子１Ａの表面に剥離可能な表層部２を形成することにより構成し、表層部２の厚さが異なる複数種類のシロアリ防除材料１Ｂ、１Ｃを混合してシロアリ防除剤１０を形成し、このシロアリ防除剤１０を建築物の床下等に敷設または土壌中に埋設する。【選択図】図１
2004155694.tif 000002
【特許請求の範囲】
【請求項１】
多孔質粒子を主体とし、該多孔質粒子の細孔部にヒノキチオール成分含有液を吸着させてシロアリ防除機能を有する基本粒子を構成するとともに、この基本粒子の表面に剥離可能な表層部を形成していることを特徴とするシロアリ防除材料。
【請求項２】
表層部の厚さを変更可能としている請求項１記載のシロアリ防除材料。
【請求項３】
表層部が、一層構造又は二層以上の複層構造である請求項２記載のシロアリ防除材料。
【請求項４】
表層部を、セメント粉末により形成していることを特徴とする請求項１、２又は３記載のシロアリ防除材料。
【請求項５】
多孔質粒子が、合成シリカゲル粒子からなる請求項１、２、３又は４記載のシロアリ防除材料。
【請求項６】
多孔質粒子の粒径が、１ｍｍ乃至１０ｍｍの範囲内である請求項５記載のシロアリ防除材料。
【請求項７】
多孔質粒子が、中心部から概略放射状に延び表面に開口する細孔部を有している請求項５又は６記載のシロアリ防除材料。
【請求項８】
ヒノキチオール成分含有液が、２％以上のヒノキチオール成分を含有するヒノキチオール成分含有油である請求項１、２、３、４、５、６又は７記載のシロアリ防除材料。
【請求項９】
前記ヒノキチオール成分含有油が、２％以上のヒノキチオール成分を含有する天然のヒバ油である請求項８記載のシロアリ防除材料。
【請求項１０】
請求項１乃至９記載のシロアリ防除材料を利用するシロアリ防除剤であって、表層部の厚さ又は表層部を構成する層の数が異なるシロアリ防除材料を所定割合ずつ含有していることを特徴とするシロアリ防除剤。
【請求項１１】
表層部を有さず且つヒノキチオール成分含有液を吸着した前記基本粒子を更に含有している請求項１０記載のシロアリ防除剤。
【請求項１２】
表層部を有さず且つヒノキチオール成分含有液を吸着させていない前記多孔質粒子を更に含有している請求項１０又は１１記載のシロアリ防除剤。
【請求項１３】
請求項１０、１１又は１２記載のシロアリ防除剤を利用して建築物におけるシロアリ防除のための使用方法であって、該シロアリ防除剤を、建築物の床下における土壌中に混合若しくは埋設し、又は建築物の床下における土壌の表面に敷設することを特徴とするシロアリ防除剤の使用方法。
【発明の詳細な説明】
【０００１】
【発明の属する技術分野】
本発明は、建築物に適用してシロアリ防除効果を発揮するシロアリ防除材料、及びそのシロアリ防除材料を利用するシロアリ防除剤、並びにそのシロアリ防除剤の使用方法に関するものである。
【０００２】
【従来の技術】
従前より、建築物におけるシロアリ被害が大きな問題となっている。シロアリは、一般に湿潤な木材を好んで食べることがよく知られているが、木材の他にも布や紙はもちろん、コンクリート、土、ゴム、ある種のプラスチックス材等の大半の建材を食害又は案孔する極めて雑食性の高い害虫であることが知られてきている。このようなシロアリ被害は、日本国内外を問わず、また湿潤か乾燥しているかの気候も問わず、世界中で深刻化している。
【０００３】
シロアリ対策としては、これまで合成化学薬剤や天然薬剤等からなる液剤を、床下や基礎コンクリート及びその周辺の土壌等シロアリが巣を作りそうな箇所に散布したり塗布する方法が採用されてきてはいるが、このような方法では前記各薬剤等の揮発性に起因してシロアリに対する駆除効果が長続きせず、所定期間を空けて何度も薬剤処理する必要があって手間やコストが多大であるという問題があり、また薬剤の中には人体やペット、家畜等に有害で使用に注意を要する有機化合物が含まれていることもあり、そのような合成薬剤等が土壌中等に残留する恐れもある。一方、このような弊害を生じせしめないように、粉末状の薬剤を散布する方法も考えられるが、粉末は散布時に舞い上がりやすく、所定箇所に所要量の薬剤を十分に散布することが難しく、また、作業者への健康被害が悪影響として考えられる。
【０００４】
ところで、青森ヒバや台湾ヒノキに代表される木材を使用した建築物ではシロアリやダニ等の害虫や、カビ等の雑菌が繁殖しにくいと言われている。そして、このような木材に含まれるヒノキチオール成分が防虫・抗菌効果を有することが分かってきている。そこで、ヒノキチオールの精油又はそれを希釈した液剤を直接、建築物の床下や基礎部分等に散布したり塗布することによって、防シロアリ効果を得ようとするシロアリ防除方法が考えられている（例えば、特許文献１参照）。
【０００５】
【特許文献１】
特開２００２−３３２３公報
【０００６】
【発明が解決しようとする課題】
しかしながらこのような従来の方法では、液剤散布などの処理を施した直後は、ヒノキチオール成分の効果が有効に効いているが、上述した化学薬剤の場合と同様に、散布後すぐに揮発したり雨で流されてしてしまうため、長期間に亘って効果が持続しない。また、ヒノキチオール成分を散布等する建築物では、散布等の後、初期のうちに高いシロアリ忌避効果を発揮させ、その後は長期間持続させることが望ましい部位や、当初から長期間に亘って常にほぼ一定の効果を発揮させることが望ましい部位があり、ヒノキチオール成分による効果を適切にコントロールするのは極めて困難であった。このような問題は、シロアリに対する効果に限られたものではなく、ダニ等に対する防虫や、カビ等の防菌・抗菌にも共通するものである。またヒノキチオール成分には、シックハウス症候群等の原因物質であるＶＯＣ等の中和除去効果があるといわれており、それを目的としてヒノキチオール成分を建築物に適用する場合にも、上記と同様の問題が考えられる。
【０００７】
本発明は、以上の問題に鑑みて、ヒノキチオール成分による優れた効果を時間的にコントロールすることにより、その効果をより有用ならしめるシロアリ防除材料を提供することを第１の目的とし、併せてシロアリ防除材料を利用したシロアリ防除剤並びにその好適な使用方法をも提供しようとするものである。
【０００８】
【課題を解決するための手段】
本発明の住環境改善材料は、多孔質粒子を主体とし、該多孔質粒子の細孔部にヒノキチオール成分含有液を吸着させて基本粒子を構成するとともに、この基本粒子の表面に剥離可能な表層部を形成していることを特徴としている。
【０００９】
すなわち、基本粒子の表面に形成した表層部が時間とともに漸次剥離すると、細孔部に吸着されているヒノキチオール成分含有液がその表層部が剥離した部位から徐々に放出することになる。換言すると、表層部において未だ剥離していない部位ではヒノキチオール成分含有液が細孔部から揮発せずに保持されたままの状態にあり、表層部の剥離した部位から順に放出されてゆく。したがって、このシロアリ防除材料は、ヒノキチオール成分含有液を一気に全て放出し終えてしまうことなく表層部の剥離状況に対応して徐放性を発揮し、継続的にシロアリ防除、忌避効果を奏することになる。
【００１０】
ここで、多孔質粒子の細孔部が露出するまで表層部が剥離するのに要する時間は、表層部の厚さに依存すると考えられる。すなわち、表層部の厚みが大きいほど、その剥離までの時間が長く、逆に表層部の厚みが小さいほど、その剥離までの時間が短いと考えられることから、ヒノキチオール成分含有液が多孔質粒子の細孔部から全て放出してしまうまでの持続期間は表層部の厚さが大きいほど長く、その放出スピードすなわち時間あたりの放出量も緩やかとなる。この持続期間、放出スピードを適切にコントロールできるようにするには、表層部の厚さを可変なものとすることが好ましい。具体的に表層部の厚さを容易に変更するには、この表層部を一層乃至複数層とすればよい。一定以上の強度で多孔質粒子の表面に付着し、且つ剥離可能な表層部を構成するのに適した材料としては、セメント粉末を挙げることができる。
【００１１】
このようなシロアリ防除材料に一定以上の大きさを付与することで、散布等の施工時において粉体のような飛散、舞い上がりを抑制するとともに、扱いやすい大きさとするには、例えば多孔質粒子を合成シリカゲルからなるものとし、多孔質粒子の粒径を１〜１０ｍｍの範囲内に設定するとよい。また、このような多孔質粒子の具体例としては、その中心部から放射状に延びて表面に開口する無数の細孔部を有するようなものを挙げることができる。
【００１２】
一方、上述のような効果を有効に発揮し得るヒノキチオール成分含有液は、２％以上のヒノキチオール成分を含有するヒノキチオール成分含有油である。特に、天然で安心して使用し得るものとしては、２％以上のヒノキチオール成分すなわち青森ヒバ等が含有するヒノキチオール（β−ツヤプリシン）、β−ドラブリンを含んだ天然のヒバ油が望ましい。すなわち、本発明において「ヒノキチオール成分」とは、これらヒノキチオールやその類縁体化合物であるβ−ドラブリン等を指す。
【００１３】
以上のようなシロアリ防除材料から構成される好適なシロアリ防除剤は、表層部の厚さ又は表層部を構成する層の数が異なるシロアリ防除材料を所定割合ずつ含有するものである。すなわち、このようなシロアリ防除剤であれば、表層部の厚み寸法が比較的大きいシロアリ防除材料と小さいシロアリ防除材料とが混在することになるので、早期にヒノキチオール成分含有液を放出し始め早期に放出を終えるものと、遅れてヒノキチオール成分含有液を放出し始め長期間を経た後に放出をおえるものとの両方の作用が相俟って、表層部の厚みが異なる各シロアリ防除材料の配合を適宜調整することで、シロアリ防除剤全体としてのヒノキチオール成分含有液の放出量を経時的にコントロールすることができる。よって、配合の具合で、恒常的に長期に亘り略一定量のヒノキチオール成分含有液を放出させるように調整することも可能となる。また、表層部を有さずヒノキチオール成分含有液を細孔部に吸着した基本粒子をシロアリ防除剤に配合すると、この基本粒子からもヒノキチオール成分含有液が揮発するので、極めて早い段階からヒノキチオール成分含有液を放出させて初期のシロアリ防除効果を効果的に発揮できることになる。さらに、上記シロアリ防除剤に、表層部を有さず且つヒノキチオール成分含有液を吸着していない多孔質粒子を配合すれば、ヒノキチオール成分含有液の使用量を低減してコスト減を図るとともに、シロアリ防除剤の嵩を増加してシロアリ防除材料が土壌中に埋没してしまわないようにすることもできる。
【００１４】
したがって、このようなシロアリ防除剤は、建築物の床下における土壌中に混合若しくは埋設し、又は建築物の床下における土壌の表面に敷設することで、高いシロアリ防除、忌避効果を奏し、さらにヒノキチオール成分の他の作用として、抗菌・除菌効果、新建材等に含まれシックハウス症候群の原因となるＶＯＣ（揮発性有機化学物質）の吸着除去効果、芳香によるリラクゼーション効果等も同時に得られることになる。また、ヒノキチオール成分含有液を放出し終えた多孔質粒子の細孔部に床下の湿気を吸着し又は放出させることで、床下の調湿機能をも発揮することができるようになる。
【００１５】
【発明の実施の形態】
以下、本発明の一実施形態を、図面を参照して説明する。
【００１６】
この実施形態は、図１（ａ）及び図２（ａ）に示すような多孔質粒子１の細孔部１１にヒノキチオール含有液としてヒバ油１２を含有させた基本粒子１Ａの表面に、図１（ｂ），（ｃ）及び図２（ｂ），（ｃ）に示すような薄い層状をなす表層部２を形成したシロアリ防除材料１Ｂ，１Ｃである。なお、シロアリ防除材料１Ｂは、一層（第１層２１）のみの表層部２を有しており、シロアリ防除材料１Ｃは、二層（第１層２１、第２層２２）からなる表層部２を有している。
【００１７】
まず、基本粒子１Ａ、及びシロアリ防除材料１Ｂ、１Ｃの主体となる多孔質粒子１には、一例として本実施形態では粒径が約５ｍｍの球形合成シリカゲル粒子を適用している。この多孔質粒子１は、中心部から表面に向けて放射状に延びる無数の細孔部１１を有するものである。なお、この細孔部１１は、図１及び図２に示した多孔質粒子１Ａにおいて誇張して示してある。この細孔部１１には、ヒバ油１２を吸着させている。ヒバ油１２は、青森ヒバ、台湾ヒノキ、木曽ヒノキ等ヒノキ科の植物の抽出油として得られるものであるが、本実施形態では特に青森ヒバの木片、枝葉の水蒸気抽出により得られる油性成分のうちの酸性油を用いている。このようにして得られるヒバ油１２には、ヒノキ科特有の７員環化合物であるトロポロン類が含まれており、そのなかでも特にシロアリに対して高い忌避効果を有する成分であるヒノキチオール（Ｃ１０Ｈ１２Ｏ２）及びその類縁体であるβ−ドラブリン（Ｃ１０Ｈ１０Ｏ２）との含有量が約２％で品質がほぼ一定に安定したものを利用している。そして、ヒバ油１２を溜めた各容器に所定量の多孔質粒子１を投入し、細孔部１１ヒバ油１２が吸着された後に容器から取り出してヒバ油１２が揮発してしまわない程度に乾燥させると、ヒバ油１２を吸着して使用可能な状態となった基本粒子１Ａが得られる。
【００１８】
一方、多孔質粒子１の表面に形成される表層部２は、セメント粉末により構成したものである。まず、基本粒子１Ａの表面に一層のみの表層部２を有するシロアリ防除材料１Ｂを形成する場合は、上述のようにヒバ油１２を吸着して表面が湿った状態の基本粒子１Ａに、その表面が万遍なく覆われる程度にセメント粉末を振りかけてまぶすか、或いはセメント粉末を入れた容器内に多孔質粒子１Ａを所定量投入して転がすことにより基本粒子１Ａの表面にセメント粉末を張り付け、更に乾燥させることによって表層部２の第１層２１が形成されたシロアリ防除材料１Ｂが得られる。また、基本粒子１Ａの表面に二層からなる表層部２を有するシロアリ防除材料１Ｃは、上述のように形成したシロアリ防除材料１Ｂの表面に、若干湿らせたセメント粉末を上記と同様に張り付かせるか、或いはシロアリ防除材料１Ｂの表層部２の第１層２１が完全に乾ききる前に乾燥したセメント粉末をさらに張り付かせることによって、第１層２１の表面側に第２層２２を形成した二重の層状をなすシロアリ防除材料Ｃが得られる。このようにして形成される表層部２の厚さは、例えば一層あたり数マイクロメートル乃至数十マイクロメートルの範囲で適宜設定することができる。そして、形成された表層部２は、他の物体との接触や風化等によって部分的に剥離してゆき、その剥離した部位から多孔質粒子の細孔部１１を表出するようになる。なお、上記と同様の製造手順を繰り返すことで、三層以上の層状をなす表層部を有するシロアリ防除材料を製造することができ、そのようなシロアリ防除材料を利用することもできるが、ここでは説明を省略する。
【００１９】
次に、上述した基本粒子１Ａ、及びシロアリ防除材料１Ｂ、１Ｃを利用したシロアリ防除剤１０及びその使用方法について説明する。
【００２０】
すなわちシロアリ防除剤１０は、何れもヒノキチオール放出作用に伴うシロアリ防除・忌避効果を発揮する基本粒子１Ａ、シロアリ防除材料１Ｂ、１Ｃを所定割合で配合することにより得られる。これら基本粒子１Ａ、シロアリ防除材料１Ｂ、１Ｃは、ほぼ同一構成及び大きさの多孔質粒子１を主体とするものであるので、いずれもほぼ同量のヒバ油１２を含有している。ここで、経時的なヒバ油の放出量の変化を図３に概略的なグラフとして示すと、基本粒子１Ａは、同図に実線で示すように、初期段階において多量のヒバ油１２を放出し、例えば２年程度の比較的早期にヒバ油１２の放出を終える。また、シロアリ防除材料１Ｂは、同図に一点鎖線で示すように、セメントの被膜である一層（２１）のみの表層部２が他の粒子や砂粒などと接触したり風化することにより徐々に崩壊するのに伴って細孔部１１を表出させてヒバ油１２を放出するため、基本粒子１Ａと比較して、初期におけるヒバ油１２の放出量は少ないが、時間とともにその放出量が増加し、より長い期間（例えば５年程度）ヒバ油１２を放出し続けることになる。さらに、シロアリ防除材料１Ｃは、同図に二点鎖線で示すように、二層からなる表層部２の第２層２２から崩壊を始め、その下層にある第１層２１も崩壊して初めて細孔部１１を表出させるので、初期においてはヒバ油１２をあまり放出しないが、時間とともに放出量が増加し、シロアリ防除材料１Ｂよりもさらに長い期間（例えば８年以上）ヒバ油１２を放出し続ける。したがって、例えばシロアリ防除剤１０中にほぼ同量ずつの基本粒子１Ａ、シロアリ防除材料１Ｂ、１Ｃを配合すると、同図に点線で示すように、基本粒子１Ａがヒバ油１２を放出し始めてからシロアリ防除材料１Ｃがヒバ油１２の放出を終えるまでの期間、シロアリ防除剤１０全体としてはほぼ一定量のヒバ油１２が放出していることになる。
【００２１】
このようなシロアリ防除材料１０を利用して、建築物におけるシロアリ防除・忌避効果を得るには、例えば図４に示すように、まず、建築物の建設前段階においては、土壌Ｓを掘り下げて基礎コンクリートＢＣを形成する前に、その基礎コンクリートＢＣの下層となる栗石Ｋの隙間を埋めるために、その隙間にシロアリ防除剤１０を単独で、又はシロアリ防除剤１０を土壌に所定割合で混合して、或いはシロアリ防除剤１０と多孔質粒子１との混合物を詰め込む。また、例えば基礎コンクリートＢＣが完成した後、又は建築物の完成後には、図５に示すように、基礎コンクリートＢＣから所定の幅寸法（約２０ｃｍ）の帯状をなすように、地面にシロアリ防除剤１０を撒く。或いは土壌中の場合と同様に、シロアリ防除剤１０と砂等の混合物や、シロアリ防除剤１０と多孔質粒子１との混合物を地面に撒くようにしてもよい。なお、シロアリ防除剤１０と土壌や砂とを混合して使用すると、シロアリ防除剤１０の使用量を減らして低コスト化を図ることができ、また、シロアリ防除剤１０とヒバ油１２を含有しない多孔質粒子１とを混合して使用すると、ヒバ油１２の使用量を低減し低コスト化を図りつつ、全体としての比重を揃えることで、土壌中の砂よりも軽いシロアリ防除材料が優先的に地中深く埋没するのを防止することができる。
【００２２】
すなわち、以上のようにシロアリ防除剤１０を建築物に対して使用することで、ヒノキチオール成分を含有するヒバ油１２が長期間に亘って地面近くで放出され続けるため、地面や地下から建築物に這い上がってくる習性を持つシロアリに対して、極めて高い防除・忌避、殺虫効果を得ることができる。また、ヒノキチオール成分の持つ作用により、床下の抗菌・除菌効果、ＶＯＣの中和除去効果、芳香による居住者へのリラクゼーション効果などを得ることもできる。なお、ヒバ油１２を放出し終えた基本粒子１Ａ、シロアリ防除材料１Ｂ、１Ｃの基本構成要素である多孔質粒子１は、空隙となった細孔部１１によって床下の調湿材としても機能するため、地面或いは土壌中からヒバ油１２の放出後の基本粒子１Ａ、シロアリ防除材料１Ｂ、１Ｃを回収する必要はない。
【００２３】
なお、本発明は上述した実施形態に限られない。例えば多孔質粒子の表面に形成する表層部は、徐々に剥離するようなものであればセメント粉末以外にも適宜の無機物又は有機物、粉体又はゲル状体等を用いて形成することができる。また、表層部の厚さを変更するには、層の数を変更する以外にも、当初から多孔質粒子の表面に付着させる物質量を変更することによっても実現可能である。さらに、シロアリ防除剤には、表層部の肉厚が異なるシロアリ防除材料を複数種類、目的に応じて適宜配合することができる。その他、各部の具体的構成についても本発明の趣旨を逸脱しない範囲で種々変形が可能である。
【００２４】
【発明の効果】
本発明に係るシロアリ防除材料は、以上に詳述したように、シロアリ防除作用を有するヒノキチオール成分含有液を吸着した多孔質粒子からなる基本粒子の表面に形成した表層部が、経時的に適宜剥離することによって細孔部が表出する結果、そこからヒノキチオール成分含有液が放出されることによってその有用な効果を発揮する。したがって、表層部の厚さを適宜設定することで、ヒノキチオール成分含有液の放出開始時期と放出可能期間とをコントロールすることができる。さらにこのことにより、表層部の厚さが異なる複数種類のシロアリ防除材料を混合したシロアリ防除剤として建築物の完成前にシロアリ防除目的に使用すれば、建築物の施工後、極めて長期間に亘って再度散布などすることなく安定してシロアリ被害から建築物を守ることができる。その後、ヒノキチオール成分含有液が全て揮発してしまってから、或いは建築後の年数が経った後に、床下等にこのシロアリ防除剤を散布などしても上記と同様の効果が得られるのはいうまでもない。
【図面の簡単な説明】
【図１】本発明の一実施形態に係る基本粒子及びシロアリ防除材料を示す概略斜視図。
【図２】同概略断面図。
【図３】同基本粒子とシロアリ防除材料のヒバ油放出量と時間との関係を示すグラフ。
【図４】同実施形態に係るシロアリ防除剤の使用方法を概略的に示す図。
【図５】同使用方法を概略的に示す図。
【符号の説明】
１…多孔質粒子
１Ａ…基本粒子
１Ｂ、１Ｃ…シロアリ防除材料
２…表層部
１０…シロアリ防除剤
１１…細孔部
１２…ヒノキチオール成分含有液（ヒバ油）
【図１】
2004155694.tif 000003
【図２】
2004155694.tif 000004
【図３】
2004155694.tif 000005
【図４】
2004155694.tif 000006
【図５】
2004155694.tif 000007